(57)【要約】【課題】  他人の洗濯物と混ざり合わないように洗濯することが出来る洗濯装置の提供。【解決手段】  本体フレーム１には複数の洗濯槽２，２・・・を設け、この洗濯槽２は洗濯液２２を入れてガイドレールに沿ってスライドして引出すことが出来ると共に、個々の洗濯物を入れるバケットボビン４を回転出来るように水平に取付け、バケットボビン４の外周には開閉することが出来る蓋９を取付け、そして上記本体フレーム１の背面側（後方側）にはモータで回転する駆動部１６を設け、上記洗濯槽２を後退させた場合には駆動部１６に噛み合って回転することが出来る。【選択図】    図２
2014061135.tif 000002
【特許請求の範囲】
【請求項１】
他人の洗濯物と混ざり合わないように洗濯することが可能な洗濯装置において、本体フレームには複数の洗濯槽を設け、この洗濯槽は洗濯液を入れてガイドレールに沿ってスライドして引出すことが出来ると共に、個々の洗濯物を入れるバケットボビンを回転出来るように水平に取付け、該バケットボビンは網目又多数のパンチング穴を形成した筒形であり、バケットボビンの外周には開閉することが出来る蓋を取付け、そして上記本体フレームの背面側（後方側）にはモータで回転する駆動部を設け、上記洗濯槽を後退させた場合にはバケットボビンから後方へ延びる軸先端のクラッチが駆動部に噛み合って回転することを特徴とする洗濯装置。
【請求項２】
上記モータの主軸にはプーリーを取付け、駆動部から延びる軸にもプーリーを取付け、そして両プーリー間にベルトを巻き掛けした請求項１記載の洗濯装置。
【発明の詳細な説明】
【技術分野】
【０００１】
本発明は他人の洗濯物が混じらないように、個々に洗濯することが出来る洗濯装置に関するものである。
【背景技術】
【０００２】
洗濯装置にも色々な形態があるが、本発明は家庭用としての利用価値もあるが、むしろ業務用を対象としている。業務用の洗濯装置は大きな回転ドラムに大量の洗濯物を入れて洗濯液と共に回転し、一度に効率よく洗濯することが可能である。従来にも、洗濯装置に関して色々な技術が知られているが、洗濯効率の向上、洗濯品質に関するものが大半である。
【０００３】
例えば、特開２００１−２２４８９０号に係る「洗濯機および洗濯物量の検出方法」は、大型の業務用洗濯機に適用して、洗濯物の入れ過ぎによる洗濯品質の低下の防止を図ることができる洗濯機および洗濯物量の検出方法である。
すなわち、一度に多量の洗濯物を洗濯処理する業務用洗濯機において、上記洗濯物の出し入れ用のドアの天地方向に、洗濯物検知センサーを複数個設け、上記洗濯槽内の回転ドラム内に収納された洗濯物の量を、洗濯物検知センサーの検出に基づいて洗濯物の嵩高さで測定し、洗濯液量，洗剤量，洗濯時間等の条件を最適値に自動設定する制御装置を設けている。
【０００４】
特開２００２−３０６８８６号に係る「業務用洗濯方法及びそれに用いる業務用洗濯装置」は、水を主体として業務用の洗濯を行う際に、洗濯物の収縮や傷みを有効に防止することのできる業務用洗濯方法及びそれに用いられる洗濯装置である。
すなわち、洗濯槽内に入れられた洗濯物の下方から気泡を導入し、かつ洗濯槽の動作は静止状態を基本とするように動作制御するようにしている。これにより、気泡の上昇作用により水及び洗剤を用いた洗濯は、より効果的なものとなる。すなわち、微少な気泡は、洗濯物を下方から通過しこれにより水及び洗剤もその気泡の動作につれて洗濯物を通過する。また、洗濯のために洗濯物に機械的な力を加えてこれを動かすことはせず、洗濯槽の動作は静止状態を基本とするように動作制御している。
【０００５】
特開２００６−３２８７６２号に係る「洗濯水の再利用装置および方法」は洗濯水の有効利用に関するものである。
すなわち、業務用洗濯機で使用された水のうち、前すすぎ工程で使用された水を処理するために溜める処理槽を設け、処理槽には溜められた水を電気分解するためのアルミ電極ユニットを設ける。また、マイクロバブル吐出口を設け、マイクロバブルを発生させて不純物の凝集、沈殿を促進する。処理槽で処理された後の水を溜めるための貯水槽を設け、貯水槽には溜められた水を脱色、脱臭するためのオゾン吐出口を設ける。そして、貯水槽に溜められた水は、ポンプで汲み出し、返送管を通って業務用洗濯機へ送られる。返送管には、水を除菌するための電解次亜発生器を設けている。
【０００６】
このように、従来の業務用洗濯装置は色々知られているが、各人の洗濯物を夫々別々に分けて洗濯することが出来る洗濯装置は知られていない。従来の業務用洗濯装置は、多種多様な洗濯物が混ざり合って一度に洗濯されることから、この洗濯方法を嫌う人も多い。特に、女性にとって、見知らぬ人の衣類と一緒に洗濯させることに抵抗を感じる人は多い。洗濯物は一般に汚れが付着していることは事実であるが、その汚れにも程度があり、しかも他人の汚れた衣類と一緒に洗濯されることに違和感がある。
【０００７】
特開２００９−５６２０６号に係る「洗濯装置」は、出願人が以前に発明して特許出願した装置であり、洗濯液を満たすことが出来る洗濯槽を複数設け、この洗濯槽には個々の洗濯物を入れる洗濯バケットボビンをほぼ水平に取付け、該洗濯バケットボビンは網目又は多数のパンチング穴を形成した筒形で、そして洗濯槽の洗濯液の中で回転するように回転駆動される。
【特許文献１】特開２００１−２２４８９０号に係る「洗濯機および洗濯物量の検出方法」
【特許文献２】特開２００２−３０６８８６号に係る「業務用洗濯方法及びそれに用いる業務用洗濯装置」
【特許文献３】特開２００６−３２８７６２号に係る「洗濯水の再利用装置および方法」
【特許文献４】特開２００９−５６２０６号に係る「洗濯装置」
【発明の開示】
【発明が解決しようとする課題】
【０００８】
上記特開２００９−５６２０６号の「洗濯装置」は、個々のバケットボビンが洗濯液の中で回転することで、他人の洗濯物を混ざり合うことなく洗濯することは出来る。ただし、洗濯物の出入れはバケットボビンを取外して行なわなくては成らず、面倒であると共に、女性にとっては該バケットボビンが重たくて大変な作業となる。本発明が解決使用とする課題はこの問題点であり、他人の洗濯物が混ざり合わないように洗濯することが出来ると共に、洗濯物の出入れを手軽に行なうことが出来る洗濯装置を提供する。本発明は一般に業務用洗濯装置であるが、家庭用として使用することも可能である。
【課題を解決するための手段】
【０００９】
本発明に係る洗濯装置は洗濯バケットボビンを有し、この洗濯バケットボビンは網製筒、パンチング筒などのように周囲に多数の穴を形成している筒形である。そして、この洗濯バケットボビンに洗濯物を入れて回転するが、洗濯バケットボビンはほぼ水平に取付けられ、洗濯液が満たされている洗濯槽内で回転することが出来るようにしている。ここで、上記洗濯槽は引出し型式として本体フレームに収容され、本体フレームから手前に引出すことが出来る構造としている。
【００１０】
そこで、洗濯物の出入れは洗濯槽と共にバケットボビンを引出して行なうことが出来、該バケットボビンは洗濯槽に回転可能に軸支されている。筒形のバケットボビンには開閉蓋が設けられ、洗濯物は該開閉蓋を開いて行う。
そして、本体フレームには駆動モータが取付けられ、該駆動モータにて回転する駆動部を背面側に設けている。洗濯槽に軸支されているバケットボビンの軸はこの駆動部にて回転することが出来るように、洗濯槽を後退して本体フレーム内に収納すると上記駆動部と噛み合うことが出来る。
【発明の効果】
【００１１】
本発明に係る洗濯装置は複数の引出し型洗濯槽を有し、この洗濯槽を引出すことで、回転可能に軸支されているバケットボビンの蓋を開けて洗濯物を入れることが出来る。そして、洗濯槽をスライドして本体フレーム内に収納するならば、本体フレームの背面側に設けている駆動部と噛み合うことが出来、モータにて該駆動部を介して回転することが出来る。洗濯槽内には洗濯液が満たされている為に、バケットボビンが洗濯槽内で回転することで、収容した洗濯物の汚れは洗い落とされる。
【００１２】
ここで、バケットボビンは比較的小さい筒形の回転容器であって、自分の洗濯物だけを入れることで、他人の洗濯物が混ざり合って洗濯されることなく、個々の洗濯物は各々のバケットボビンにて別々に洗濯される。業務用の洗濯装置の場合、多数の洗濯槽を備えることで、一度に多くの客の洗濯を効率よく行うことが出来ると共に、洗濯後に客ごとの洗濯物を分ける作業が不要となる。
【００１３】
一方、本発明の洗濯装置では複数の洗濯槽を備えることで、生地質に適した洗濯を行うことが可能と成る。すなわち、大きなドラムに収容して洗濯するのでは、生地質に最適な条件を設定することは容易でないが、該バケットボビンはその大きさが比較的小さいために夫々の生地質に適した洗濯条件にて行うことが可能である。
【００１４】
また、本発明の洗濯装置は複数のバケットボビンを備えた洗濯槽を有しているが、比較的コンパクトに構成され、その為にトラックの荷台に載せて運ぶことが出来る。近年、全国の各地で大きな災害が発生しており、災害地へこの洗濯装置を載せて運び、被災者の衣類を洗濯することが出来る。勿論、各家庭においても本発明の洗濯装置を用いて、質の異なる衣類又は種類の違う衣類を分けてバケットボビン入れて洗濯することが出来る。
【図面の簡単な説明】
【００１５】
【図１】本発明に係る洗濯装置の外観図。
【図２】引出し型洗濯槽に取付けらたバケットボビン。
【図３】バケットボビンの具体例。
【図４】バケットボビンを回転する駆動機構を示す実施例。
【発明を実施するための形態】
【００１６】
図１は本発明に係る洗濯装置の外観図を示している。同図の１は本体フレーム、２は洗濯槽を表し、該本体フレーム１には３つの洗濯槽２，２，２を上下に配列した状態で有している。洗濯槽２は引出し型式で、本体フレーム１に収容される共に、正面に取付けてある持ち手３を引くならば手前にスライドして引き出される。洗濯槽２は上方を開口した容器であって、内部にはバケットボビンが回転可能に軸支され、そして洗濯液を入れることが出来る。
【００１７】
図２は洗濯槽２を示す具体例であり、（ａ）は平面図、（ｂ）は（ａ）のＡ−Ａ断面図を表している。洗濯槽２は上方を開口した角形容器であり、内部にはバケットボビン４が回転可能に軸支されている。バケットボビン４は多数の小さな穴を形成したパンチングメタル、又はメッシュで構成した円筒形であり、両端から延びる軸５，５は洗濯槽２に設けている軸受け６，６に嵌って軸支されている。従って、バケットボビン４は軸５，５を中心として回転することが出来る。
【００１８】
そして、背面側（後方）の軸５は洗濯槽２の背板７を貫通して先端にはクラッチ８を取着している。このクラッチ８は後で述べる駆動部と噛み合うことでバケットボビン４は回転することが出来る。円筒形のバケットボビン４の内部には洗濯物が収容され、バケットボビン４が回転することで洗濯物は洗濯液と共に攪拌されて汚れが落とされる。
【００１９】
図３はバケットボビン４を示す具体例である。円筒形のバケットボビン４の外周には蓋９が蝶番１０，１０を介して取付けられ、そして先端縁にはカギ１１，１１を設けている。洗濯物を入れてバケットボビン４が回転している時には、蓋９が開かないようにカギ１１，１１でロックされ、該カギ１１，１１を解錠するならば、蓋９を開くことが出来る。ここで、蓋９を取付ける上記蝶番１０の構造、及びカギ１１の具体的な構造は限定しない。特にカギ１１はバケットボビン４が回転することで蓋９が開かない構造であると共に、また簡単に解錠することが出来るものとしている。
【００２０】
図４は各バケットボビン４，４・・・を回転駆動する為の駆動機構を示す実施例である。同図の１２は減速機付きモータ、１３ａ，１３ｂ，１３ｃは減速機付きモータ１２の主軸１４に取着しているプーリー、１５ａ，１５ｂ，１５ｃはバケットボビン４ａ，４ｂ，４ｃを回転する為のプーリーをそれぞれ表している。
【００２１】
上段に位置するバケットボビン４ａから延びる軸５ａの先端に設けているクラッチ８ａは駆動部１６ａと噛み合っている。そして、該駆動部１６ａは上記プーリー１５ａと軸１７ａによって連結している。該プーリー１５ａはプーリー１３ａ間にベルト１８ａが巻き掛けられ、従ってバケットボビン４ａは減速機付きモータ１２によって回転することが出来る。同じく、バケットボビン４ｂ、バケットボビン４ｃも減速機付きモータ１２によって回転することが出来る。
【００２２】
バケットボビン４は減速機付きモータ１２によって回転するが、この場合、軸先端に取着しているクラッチ８が駆動部１６と噛み合うことで減速機付きモータ１２の動力が伝達されるように成っている。従って、バケットボビン４を収容している洗濯槽２を前進（正面側へ移動）させるならば、クラッチ８は駆動部１６から離脱することに成り、バケットボビン４は回転しない。
【００２３】
本体フレーム１は４つの空間に仕切られ、下部空間１９には上記減速機付きモータ１２が配置され、その他の空間には洗濯槽２ａ，２ｂ，２ｃが収容され、夫々の洗濯槽２ａ，２ｂ，２ｃは引出し型式として出入れすることが出来る。前記図２に示すように、洗濯槽２の下端両側にはガイド部２０，２０が設けられ、側板上部にもガイド部２１，２１を取着している。
【００２４】
本体フレーム１の各空間にはガイドレールを沿設し、上記ガイド部２０，２０，２１，２１はガイドレールに沿ってスライドすることで、洗濯槽２は出入れされる。ここで、洗濯槽２は本体フレーム１の空間に完全に収容された状態でクラッチ８が駆動部１６と噛み合うことが出来、そして洗濯中にクラッチ８が駆動部１６から外れないように洗濯槽２はロックされる。
【００２５】
そして、洗濯槽２に水を供給する為のパイプを本体フレーム１に取付け、また使用済みの洗濯液２２を排水する為の排水口を洗濯槽２の底に設けている。勿論、排水口には栓が取付けられ、該栓を抜くことで洗濯液が排水口から排水され、排水口には排水パイプを接続している。
【００２６】
ただし、洗濯槽２には洗濯液２２が入っているが、本発明では該洗濯槽２に水を入れるための手段、並びに洗濯槽２から洗濯後の洗濯液２２を排水する為の具体的な手段は限定しないことにする。
【符号の説明】
【００２７】
１  本体フレーム
２  洗濯槽
３  持ち手
４  バケットボビン
５  軸
６  軸受け
７  背板
８  クラッチ
９  蓋
10  蝶番
11  カギ
12  減速機付きモータ
13  プーリー
14  主軸
15  プーリー
16  駆動部
17  軸
18  ベルト
19  下部空間
20  ガイド部
21  ガイド部
22  洗濯液
【図１】
2014061135.tif 000003
【図２】
2014061135.tif 000004
【図３】
2014061135.tif 000005
【図４】
2014061135.tif 000006